(57)【要約】【課題】ユーザ同士が対面で直接広告データを紹介することによりアフェリエイトが可能なシステムを提供すること。【解決手段】サーバ１０は、ユーザ（紹介者）の携帯端末２０ａに広告データを送信する。ユーザ（紹介者）は他のユーザ（閲覧者）と対面して、携帯端末２０ａから他のユーザ（閲覧者）の携帯端末２０ｂに広告データを送信する。携帯端末２０ａは、広告データを送信すると、サーバ１０に広告データを送信した履歴を送信する。携帯端末２０ｂは、広告データを受信すると、サーバ１０に広告データを受信した履歴を送信する。サーバ１０は、広告データを送信した履歴の広告データが、サーバ１０が携帯端末２０ａに送信した広告データであるかどうかを照合する。照合の結果が一致する場合には、広告データの送受信履歴に基づいて、ユーザ（紹介者）に報酬を支払うことを判定する。【選択図】図２
2008299674.tif 000002
【特許請求の範囲】
【請求項１】
広告データを記憶し送信する第１の携帯端末と、前記第１の携帯端末から前記広告データを受信する第２の携帯端末との、前記広告データの送受信の履歴を管理して報酬の支払を判定するサーバであって、
前記第１の携帯端末から前記広告データを送信した履歴、及び前記第２の携帯端末から前記広告データを受信した履歴を受信する広告送受信履歴情報受信部と、
前記広告データを送信した履歴と前記広告データが一致するかどうかを照合する広告データ照合部と、
前記広告データを送信した履歴、及び前記広告データを受信した履歴に基づき前記第１の携帯端末のユーザに支払う報酬を判定する報酬支払判定部と、
前記広告データを送信した履歴、及び前記広告データを受信した履歴を記憶する広告送受信履歴情報登録部と、を備えたサーバ。
【請求項２】
広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定するシステムであって、
前記サーバは、
前記第１の携帯端末から前記広告データを送信した履歴、及び前記第２の携帯端末から前記広告データを受信した履歴を受信する広告送受信履歴情報受信部と、
前記広告データを送信した履歴と前記広告データが一致するかどうかを照合する広告データ照合部と、
前記広告データを送信した履歴、及び前記広告データを受信した履歴に基づき前記第１の携帯端末のユーザに支払う報酬を判定する報酬支払判定部と、
前記広告データを送信した履歴、及び前記広告データを受信した履歴を記憶する広告送受信履歴情報登録部と、を備えたシステム。
【請求項３】
前記第１及び前記第２の携帯端末は、赤外線通信、又はＢｌｕｅｔｏｏｔｈ通信によってデータ通信を行う送受信部を備えた、請求項２に記載のシステム。
【請求項４】
前記サーバ、前記第１及び前記第２の携帯端末は、広告データからハッシュ関数を用いてハッシュ値を生成する制御部を備えた、請求項２に記載のシステム。
【請求項５】
広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定する方法であって、
前記サーバが、
前記第１の携帯端末から前記広告データを送信した履歴、及び前記第２の携帯端末から前記広告データを受信した履歴を受信するステップと、
前記広告データを送信した履歴と前記広告データが一致するかどうかを照合するステップと、
前記広告データを送信した履歴、及び前記広告データを受信した履歴に基づき前記第１の携帯端末のユーザに支払う報酬を判定するステップと、
前記広告データを送信した履歴、及び前記広告データを受信した履歴を広告送受信履歴情報登録部に記憶するステップと、を含む方法。
【請求項６】
広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定するためのコンピュータ・プログラムであって、
前記サーバが、
前記第１の携帯端末から前記広告データを送信した履歴、及び前記第２の携帯端末から前記広告データを受信した履歴を受信するステップと、
前記広告データを送信した履歴と前記広告データが一致するかどうかを照合するステップと、
前記広告データを送信した履歴、及び前記広告データを受信した履歴に基づき前記第１の携帯端末のユーザに支払う報酬を判定するステップと、
前記広告データを送信した履歴、及び前記広告データを受信した履歴を広告送受信履歴情報登録部に記憶するステップと、をコンピュータに実行させるコンピュータ・プログラム。
【発明の詳細な説明】
【技術分野】
【０００１】
本発明は、対面アフェリエイトシステムに関する。詳しくは、携帯端末とサーバとを含む、対面アフェリエイトシステムに関する。
【背景技術】
【０００２】
従来、インターネット上の広告手法の１つで、アフェリエイト（Ａｆｆｉｌｉａｔｅ）という広告手法が用いられている。ここで、アフェリエイトとは、ホームページ、メールマガジンなどの運営者と、企業が広告掲載を通して業務提携することを意味する。例えば、特許文献１には、広告掲載サイトが、商用サイトへリンクされた広告を掲載し、閲覧者がそのリンクを経由して当該商用サイトで会員登録したり商品を購入したりすると、広告掲載サイトの運営者に報酬が支払われるシステムが開示されている。
【特許文献１】特許第３８６３３６５号公報
【発明の開示】
【発明が解決しようとする課題】
【０００３】
しかしながら、特許文献１のようなシステムでは、広告を掲載するサイトが必要であり、サイトを運営していない（例えば、ホームページを持たない）ユーザは該システムを利用することができない。又、広告掲載サイトに表示した広告のリンクを経由させるので、ユーザが、広告掲載サイトを閲覧する環境が必要となる。
【０００４】
本発明は、上記課題に鑑み、ユーザ同士が対面で直接広告データを紹介することによりアフェリエイトが可能なシステムを提供することを目的とする。
【課題を解決するための手段】
【０００５】
本発明では以下のような解決手段を提供する。
【０００６】
（１）  広告データを記憶し送信する第１の携帯端末と、前記第１の携帯端末から前記広告データを受信する第２の携帯端末との、前記広告データの送受信の履歴を管理して報酬の支払を判定するサーバであって、
前記第１の携帯端末から前記広告データを送信した履歴、及び前記第２の携帯端末から前記広告データを受信した履歴を受信する広告送受信履歴情報受信部と、
前記広告データを送信した履歴と前記広告データが一致するかどうかを照合する広告データ照合部と、
前記広告データを送信した履歴、及び前記広告データを受信した履歴に基づき前記第１の携帯端末のユーザに支払う報酬を判定する報酬支払判定部と、
前記広告データを送信した履歴、及び前記広告データを受信した履歴を記憶する広告送受信履歴情報登録部と、を備えたサーバ。
【０００７】
（１）の構成によれば、サーバは、ユーザ（紹介者）の第１の携帯端末に広告データを送信する。そして、ユーザ（紹介者）の第１の携帯端末から他のユーザ（閲覧者）の第２の携帯端末に広告データを送信した履歴と、第２の携帯端末が、広告データを受信した履歴を管理する。サーバは、広告データを送信した履歴の広告データが、サーバが第１の携帯端末に送信した広告データであるかどうかを照合する。照合の結果が一致する場合には、広告送受信履歴情報登録部の広告データの送受信履歴に基づいて、ユーザ（紹介者）に報酬を支払うことを判定する。
【０００８】
このようにすることによって、サーバは、ユーザ（紹介者）の第１の携帯端末から広告データを他のユーザ（閲覧者）の第２の携帯端末に送信するアフェリエイトを行うことができる。
【０００９】
（２）  広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定するシステムであって、
前記サーバは、
前記第１の携帯端末から前記広告データを送信した履歴、及び前記第２の携帯端末から前記広告データを受信した履歴を受信する広告送受信履歴情報受信部と、
前記広告データを送信した履歴と前記広告データが一致するかどうかを照合する広告データ照合部と、
前記広告データを送信した履歴、及び前記広告データを受信した履歴に基づき前記第１の携帯端末のユーザに支払う報酬を判定する報酬支払判定部と、
前記広告データを送信した履歴、及び前記広告データを受信した履歴を記憶する広告送受信履歴情報登録部と、を備えたシステム。
【００１０】
（２）の構成によれば、サーバは、ユーザ（紹介者）の第１の携帯端末に広告データを送信する。ユーザ（紹介者）は他のユーザ（閲覧者）と対面して、ユーザ（紹介者）の第１の携帯端末から他のユーザ（閲覧者）の第２の携帯端末に広告データを送信する。第１の携帯端末は、広告データを送信すると、サーバに広告データを送信した履歴を送信する。第２の携帯端末は、広告データを受信すると、サーバに広告データを受信した履歴を送信する。サーバは、広告データを送信した履歴の広告データが、サーバが第１の携帯端末に送信した広告データであるかどうかを照合する。照合の結果が一致する場合には、広告送受信履歴情報登録部の広告データの送受信履歴に基づいて、ユーザ（紹介者）に報酬を支払うことを判定する。
【００１１】
このようにすることによって、ユーザ（紹介者）は広告掲載サイトを作成する必要がなく、第１の携帯端末により広告データを他のユーザ（閲覧者）の第２の携帯端末に送信してアフェリエイトを行うことができる。本構成では、ユーザ（閲覧者）が広告掲載サイトを閲覧できる環境が必要なく、第２の携帯端末で広告データの受信を行うことができる。
【００１２】
（３）  前記第１及び前記第２の携帯端末は、赤外線通信、又はＢｌｕｅｔｏｏｔｈ通信によってデータ通信を行う送受信部を備えた、（２）に記載のシステム。
【００１３】
（３）の構成によれば、前記第１及び前記第２の携帯端末は、赤外線通信、又はＢｌｕｅｔｏｏｔｈ通信などのデータ通信により、携帯端末間でデータを送受信することができる。
【００１４】
（４）  前記サーバ、前記第１及び前記第２の携帯端末は、広告データからハッシュ関数を用いてハッシュ値を生成する制御部を備えた、（２）に記載のシステム。
【００１５】
（４）の構成によれば、前記サーバと前記第１及び前記第２の携帯端末は、広告データのハッシュ値を生成することができる。そして、一の広告データについて、前記サーバと前記第１及び前記第２の携帯端末とにおいて、それぞれでハッシュ値を生成して照合することで、広告データの改ざんや偽造を発見することができる。
【００１６】
（５）  広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定する方法であって、
前記サーバが、
前記第１の携帯端末から前記広告データを送信した履歴、及び前記第２の携帯端末から前記広告データを受信した履歴を受信するステップと、
前記広告データを送信した履歴と前記広告データが一致するかどうかを照合するステップと、
前記広告データを送信した履歴、及び前記広告データを受信した履歴に基づき前記第１の携帯端末のユーザに支払う報酬を判定するステップと、
前記広告データを送信した履歴、及び前記広告データを受信した履歴を広告送受信履歴情報登録部に記憶するステップと、を含む方法。
【００１７】
（５）の発明によれば、（２）の装置と同様な作用効果を実現する方法を提供することができる。
【００１８】
（６）  広告データを記憶し送信する第１の携帯端末と、前記第１の携帯端末から前記広告データを受信する第２の携帯端末と、前記広告データの送受信の履歴を管理するサーバと、で構成され、前記広告データの管理と報酬の支払を判定するためのコンピュータ・プログラムであって、
前記サーバが、
前記第１の携帯端末から前記広告データを送信した履歴、及び前記第２の携帯端末から前記広告データを受信した履歴を受信するステップと、
前記広告データを送信した履歴と前記広告データが一致するかどうかを照合するステップと、
前記広告データを送信した履歴、及び前記広告データを受信した履歴に基づき前記第１の携帯端末のユーザに支払う報酬を判定するステップと、
前記広告データを送信した履歴、及び前記広告データを受信した履歴を広告送受信履歴情報登録部に記憶するステップと、をコンピュータに実行させるコンピュータ・プログラム。
【００１９】
（６）の発明によれば、（５）の方法をコンピュータに実行させる機能手段としてのコンピュータ・プログラムを提供することができる。
【発明の効果】
【００２０】
本発明によれば、ユーザ（紹介者）は広告掲載サイトを作成する必要がなく、携帯端末により広告データを他のユーザ（閲覧者）の携帯端末に送信してアフェリエイトを行うことができる。本構成では、ユーザ（閲覧者）が広告掲載サイトを閲覧できる環境が必要なく、携帯端末で広告データの受信を行うことができる。
【発明を実施するための最良の形態】
【００２１】
以下、本発明の実施形態について図を参照しながら説明する。
【００２２】
［システムの全体構成］
図１は、本発明の好適な実施形態の一例に係るシステム１の全体構成を示す図である。
【００２３】
本発明を構成するシステム１は、広告データを紹介者の携帯端末２０ａ（第１の携帯端末）から、閲覧者の携帯端末２０ｂ（第２の携帯端末）に送信し、閲覧者が受信した広告データのリンクを用いて商品を購入するなどに応じて、紹介者に報酬が支払われる。なお、紹介者からの広告データのリンクから、閲覧者が広告商品を購入するなどして、紹介者に報酬が支払われるシステムをアフェリエイトという。
【００２４】
本システムでは、携帯端末２０同士が、赤外線通信やＢｌｕｅｔｏｏｔｈ（無線通信技術の１つ）などの技術を用いて、データの送受信を行うことができる。又、サーバ１０が、通信ネットワーク３０を介して、携帯端末２０と接続される。なお、図ではサーバ１０は１のみ示されているが、複数のハードウェアで構成してよい。
【００２５】
サーバ１０は、広告データを管理して、紹介者の携帯端末２０に広告データを送信する。又、携帯端末２０同士の広告データの送受信を記憶して、紹介者に支払う報酬を判定する。
【００２６】
携帯端末２０は、携帯電話機の他、ＰＤＡ（Ｐｅｒｓｏｎａｌ  Ｄｉｇｉｔａｌ  Ａｓｓｉｓｔａｎｔ）などのいわゆる通信端末であってよい。
【００２７】
通信ネットワーク３０は、例えば、インターネットであり、有線により実現するものだけではなく、アクセスポイントを介して無線ＬＡＮにより実現するものなど、本発明の技術的思想に合致するものであれば様々な通信技術により実現される。
【００２８】
［サーバ１０及び携帯端末２０の機能ブロック］
図２は、本発明の好適な実施形態の一例に係るサーバ１０及び携帯端末２０の機能ブロック図である。
【００２９】
サーバ１０は、主として送受信部１２、制御部１３、及び記憶部１５により構成される。送受信部１２は、通信インターフェイスを含み、携帯端末２０とデータを送受信する機能を有している。又、制御部１３は、ＣＰＵを含み、サーバ１０を制御する機能を有している。更に、記憶部１５は、ハードディスクなどの記憶装置を含み、データを記憶する機能を有している。
【００３０】
サーバ１０の制御部１３は、広告送信部１３０１、広告送受信履歴情報受信部１３０２、広告データ照合部１３０３、及び報酬支払判定部１３０４を有している。広告送信部１３０１は、広告ＤＢから広告データを読み出し、携帯端末２０に送信する。又、広告送受信履歴情報受信部１３０２は、紹介者及び閲覧者の間での広告データ送受信の履歴を受信する。そして、広告データ照合部１３０３は、紹介者が送信した広告データが改変されたり偽造されていないかどうかを照合する。更に、報酬支払判定部１３０４は、閲覧者が広告データを受信するなどに応じて、紹介者に支払う報酬を判定する。
【００３１】
サーバ１０の記憶部１５は、広告ＤＢ１５０１、及び広告送受信履歴情報登録部１５０２を含んで構成される。広告ＤＢ１５０１は、広告データを記憶している。又、広告送受信履歴情報登録部１５０２は、紹介者及び閲覧者の間での広告データ送受信の履歴を記憶している。
【００３２】
携帯端末２０（２０ａ・２０ｂ）は、主として入力部２１、送受信部２２、制御部２３、表示部２４、及び記憶部２５により構成される。入力部２１は、操作キーなどの入力装置を含み、ユーザの入力を受け付ける機能を有している。又、送受信部２２は、通信インターフェイスを含み、サーバ１０とデータを送受信する機能、携帯端末２０同士でデータを送受信する機能を有している。更に、制御部２３は、ＣＰＵを含み、サーバ１０を制御する機能を有している。そして、表示部２４は、液晶ディスプレイなどの表示装置を含み、データを表示する機能を有している。また更に、記憶部２５は、ＲＯＭなどの半導体メモリを含み、データを記憶する機能を有している。
【００３３】
［広告送信処理］
図３は、本発明の好適な実施形態の一例に係る広告送信処理のシーケンス図である。
【００３４】
まず、ステップＳ１０１では、サーバ１０の管理者と提携したユーザ（紹介者）が、携帯端末２０ａの入力部２１により、広告データを要求する入力を行う。そして、制御部２３が、送受信部２２を介して広告データ要求をサーバ１０に送信する。なお、予めユーザ（紹介者）とサーバ１０の管理者との提携は、通信ネットワーク３０を介して携帯端末２０、及びコンピュータのＷｅｂブラウザなどで行われてよい。又、広告データの要求は、携帯端末２０のブラウザなどにおいて、ユーザ（紹介者）がサーバ１０にアクセスし、メニュー画面から広告を選択してダウンロードするなどでもよい。広告データの具体的な例については、図４で後述する。
【００３５】
次に、ステップＳ１０２では、サーバ１０の制御部１３が、送受信部１２を介して、広告送信部１３０１により、ユーザ（紹介者）からの広告データ要求を受信する。
【００３６】
次に、ステップＳ１０３では、制御部１３が、広告送信部１３０１により、ユーザ（紹介者）からの広告データ要求に応じた、広告データを広告ＤＢ１５０１から読み出す。そして、送受信部１２を介して、携帯端末２０ａに送信する。なお、広告ＤＢ１５０１の具体的な例については、図５で後述する。
【００３７】
次に、ステップＳ１０４では、携帯端末２０ａの制御部２３が、送受信部２２を介して、広告データを受信して、記憶部２５に記憶する。
【００３８】
図４は、本発明の好適な実施形態の一例に係る広告データの概要を示す図である。まず、図４（ａ）では、携帯端末２０ａの表示部には、サーバ１０からの広告データのリストが表示されている。そして、ユーザ（紹介者）がリストの中から所望の広告データを選択する。次に、図４（ｂ）では、携帯端末２０ａの表示部に、ユーザ（紹介者）が選択した広告データの見本と報酬額などの案内が表示されている。そして、ユーザ（紹介者）が広告データのダウンロード操作を実行する。
【００３９】
次に、図４（ｃ）では、サーバ１０から携帯端末２０ａに広告データがダウンロードされる。ここで、ユーザ（紹介者）が閲覧者の携帯端末２０ｂに広告データを送信してもよいし、記憶部２５に保存してもよい。次に、図４（ｄ）では、携帯端末２０ａが広告データの保存を確認するメッセージを表示する。次に、図４（ｅ）では、記憶部２５に保存された広告データがリスト表示されている。ユーザ（紹介者）がリストから広告データを選択し表示することで、広告データを視認することができ、又、閲覧者の携帯端末２０ｂに広告データを送信してもよい。なお、広告データは、図４（ｃ）の様に、ＨＴＭＬデータやテキストで作成されてよい。更に、広告データにショッピングサイトなどへのリンクを貼ることで、閲覧者が広告の商品やサービスの購入を行えるようにしてよい。
【００４０】
図５は、本発明の好適な実施形態の一例に係る広告ＤＢ１５０１を示す図である。ここで、図５に示すように、広告ＤＢ１５０１は、広告ＩＤ、広告データ、広告内容、ハッシュ値、及び報酬額の欄を持つデータベースである。そして、レコード（行）には広告ＩＤとそれぞれの広告データ、広告内容、ハッシュ値、及び報酬額が関連付けて記憶されている。図の例では、先頭のレコードには、「広告ＩＤ：ＡＤ００１」がそれぞれの広告データ、広告内容、ハッシュ値、及び報酬額と共に記憶されている。次のレコードには、「広告ＩＤ：ＡＤ００２」がそれぞれの広告データ、広告内容、ハッシュ値、及び報酬額と共に記憶されている。
【００４１】
広告ＤＢ１５０１の広告ＩＤ欄は、広告データの識別子を記憶している。又、広告データ欄は、広告データそのものを記憶している。なお、広告データは、ＨＴＭＬデータやテキストデータなど様々な種類のデータでよい。更に、広告内容欄は、広告データの内容を記憶している。
【００４２】
広告ＤＢ１５０１のハッシュ値欄は、広告データのハッシュ値を記憶している。ここで、ハッシュ値は、広告データをハッシュ関数により擬似乱数を生成した値である。ハッシュ値は不可逆な一方向関数を含むため、元の広告データを再現することができない。又、同じハッシュ値を持つ異なるデータを作成することは極めて困難であり、広告データの改ざん防止などに役立つ。
【００４３】
広告ＤＢ１５０１の報酬額欄は、ユーザ（紹介者）が広告データを閲覧者に送信し、その後の閲覧者の広告商品の購入などに応じて、紹介者に支払われる報酬の額を記憶している。なお、報酬の支払条件については、サーバ１０の管理者とユーザ（紹介者）との間で取り交わされる。そして、報酬支払の判定は、閲覧者が広告データを見た時点でもよいし、広告データが含むリンクを用いて商品のサンプルを注文したことなど、広告データを用いた閲覧者の行動によってそれぞれ判定されてよい。
【００４４】
［対面アフェリエイト処理］
図６は、本発明の好適な実施形態の一例に係る対面アフェリエイト処理のシーケンス図である。
【００４５】
まず、ここでは、ユーザ（紹介者）が携帯端末２０ａを、ユーザ（閲覧者）が携帯端末２０ｂを持ち、対面でデータの送受信を行える状態である。そして、ステップＳ２０１では、携帯端末２０ａの制御部２３が、送受信部２２を介して広告データ及び紹介者のＩＤ（以下、送信元ユーザＩＤという）を携帯端末２０ｂに送信する。なお、広告データは、携帯端末２０ａの記憶部２５に記憶されている広告データでもよいし、サーバ１０からダウンロードしてもよい。
【００４６】
次に、ステップＳ２０２では、携帯端末２０ｂの制御部２３が、送受信部２２を介して広告データ及び送信元ユーザＩＤを受信する。
【００４７】
次に、ステップＳ２０３では、携帯端末２０ａの制御部２３が、送受信部２２を介して、広告データ送信の日時、ユーザＩＤ、履歴送信元（ここでは携帯端末２０ａの電話番号）、及び広告データのハッシュ値を含む広告送信履歴データをサーバ１０に送信する。なお、広告送信履歴データの送信は、閲覧者の携帯端末２０ｂに広告データを送信した時点で行われてよい。又、ハッシュ値は、制御部２３が、広告データからハッシュ関数を用いてハッシュ関数を生成している。
【００４８】
次に、ステップＳ２０４では、サーバ１０の制御部１３が、送受信部１２を介して、広告送受信履歴情報受信部１３０２により、広告送信履歴データを受信する。そして、記憶部１５の広告送受信履歴情報登録部１５０２に記憶する。なお、広告送受信履歴情報登録部１５０２の具体的な例については、図７で後述する。
【００４９】
次に、ステップＳ２０５では、携帯端末２０ｂの制御部２３が、送受信部２２を介して、広告データ受信の日時、紹介者を示す送信元ユーザＩＤ、履歴送信元（ここでは携帯端末２０ｂの電話番号）を含む広告受信履歴データをサーバ１０に送信する。なお、広告受信履歴データの送信は、閲覧者の携帯端末２０ｂが広告データを受信した時点で行われてよいし、広告データのリンクを用いて商品を購入した時点で行われてもよい。
【００５０】
次に、ステップＳ２０６では、サーバ１０の制御部１３が、送受信部１２を介して、広告送受信履歴情報受信部１３０２により、広告受信履歴データを受信する。そして、記憶部１５の広告送受信履歴情報登録部１５０２に記憶する。
【００５１】
次に、ステップＳ２０７では、広告データ照合部１３０３により、広告送受信履歴情報登録部１５０２に記憶された、広告データのハッシュ値と、広告ＤＢ１５０１に記憶されたハッシュ値とが一致するかどうか照合する。こうすることにより、紹介者から閲覧者に送信された広告データが、改ざんされていないかどうかが分かる。そして、照合の結果、一致する場合は報酬支払の判定をする。又、一致しない場合は、広告データが改ざんされたと見なして、報酬支払を行わないなどの処理を行う。
【００５２】
次に、ステップＳ２０５では、報酬支払判定部１３０４により、広告送受信履歴情報登録部１５０２を参照して、広告送信履歴データのユーザＩＤ及びハッシュ値と、広告受信履歴データの送信元ユーザＩＤ及びハッシュ値とを照合して、広告データの送受信が行われたことを確認する。そして、広告ＤＢ１５０１を参照して、広告送信履歴データのハッシュ値に基づいて、報酬額を抽出し、該報酬額を、紹介者に支払う判定を行う。そして、サーバ１０の管理者と紹介者との提携時の支払方法に基づいて、報酬を支払う。なお、広告データの送受信が確認できない場合、すなわち、広告データの受信が確認できない場合は報酬支払の判定は行われない。
【００５３】
このようにして、対面で広告データを送受信することにより、紹介者から広告データを受信した閲覧者が広告を必ず閲覧する。そして、対面によるアフェリエイトを行うことができる。
【００５４】
図７は、本発明の好適な実施形態の一例に係る広告送受信履歴情報登録部１５０２を示す図である。ここで、図５に示すように、広告送受信履歴情報登録部１５０２は、日時、ユーザ区分、ユーザＩＤ、履歴送信元、送信元ユーザＩＤ、及びハッシュ値の欄を持つデータベースである。そして、レコード（行）にはそれぞれの欄にデータが記憶されている。
【００５５】
図７の例では、先頭のレコード（ａ）には、「日時：２００７／５／７  １４：１５、ユーザ区分：紹介者」がユーザＩＤ、履歴送信元、及びハッシュ値と共に記憶されている。ここでレコード（ａ）は、紹介者からの広告送信履歴データである。ユーザＩＤ欄には紹介者のユーザＩＤが記憶されている。履歴送信元欄には紹介者の携帯端末２０の電話番号が記憶されている。ハッシュ値欄には、閲覧者の携帯端末２０に送信した広告データのハッシュ値が記憶されている。
【００５６】
次のレコード（ｂ）には、「日時：２００７／５／７  １４：１８、ユーザ区分：閲覧者」が履歴送信元、及び送信元ユーザＩＤと共に記憶されている。ここでレコード（ｂ）は、閲覧者からの広告受信履歴データである。履歴送信元欄には閲覧者の携帯端末２０の電話番号が記憶されている。送信元ユーザＩＤ欄には紹介者のユーザＩＤが記憶されている。
【００５７】
このように、広告送受信履歴情報登録部１５０２は、広告データの送受信の履歴を記憶する。そして、広告送信履歴データのユーザＩＤと、広告受信履歴データの送信元ユーザＩＤを用いて、広告データの送受信の状況を知ることができる。又、履歴送信元（ここでは電話番号）を記憶することで、閲覧者の携帯端末２０に、過去に同じ広告データの送受信が行われたことが分かるので、サーバ１０の管理者は、報酬の支払を一度だけに限定するか、広告データの送受信毎にするか、支払方法を自由に設定することができる。更に、同じ携帯端末２０の間で広告データを交換することによる悪用を防ぐことができる。
【００５８】
なお、広告データを受信した閲覧者が、サーバ１０の管理者と提携することで、広告データを別のユーザに送信し、対面でアフェリエイトを行うこともできる。このように、携帯端末２０により、対面でアフェリエイトを行うので、口コミのような広がりをアフェリエイトに付加することができる。
【００５９】
［サーバのハードウェア構成］
図８は、本発明の好適な実施形態の一例に係るサーバ１０のハードウェア構成を示す図である。
【００６０】
サーバ１０は、制御装置１３０を構成するＣＰＵ（Ｃｅｎｔｒａｌ  Ｐｒｏｃｅｓｓｉｎｇ  Ｕｎｉｔ）１３１（マルチプロセッサ構成ではＣＰＵ１３２など複数のＣＰＵが追加されてもよい）、バスライン１０５、通信Ｉ／Ｆ（Ｉ／Ｆ：インターフェイス）１２０、メインメモリ１７０、ＢＩＯＳ（Ｂａｓｉｃ  Ｉｎｐｕｔ  Ｏｕｔｐｕｔ  Ｓｙｓｔｅｍ）１８０、ＵＳＢポート１９０、Ｉ／Ｏコントローラ１６０、キーボード及びマウスなどの入力装置１１０、並びに表示装置１４０を備える。
【００６１】
Ｉ／Ｏコントローラ１６０には、テープドライブ１５１、ハードディスク１５３、光ディスクドライブ１５２、及び半導体メモリ１５４などの記憶装置１５０を接続することができる。
【００６２】
ＢＩＯＳ１８０は、サーバ１０の起動時にＣＰＵ１３１が実行するブートプログラムや、サーバのハードウェアに依存するプログラムなどを格納する。
【００６３】
ハードディスク１５３は、サーバ１０として機能するための各種プログラム及び本発明の機能を実行するプログラムを記憶する。
【００６４】
光ディスクドライブ１５２としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１５２１を使用する。光ディスク１５２１から光ディスクドライブ１５２によりプログラム又はデータを読み取り、Ｉ／Ｏコントローラ１６０を介してメインメモリ１７０又はハードディスク１５３に提供することもできる。又、同様にテープドライブ１５１に対応したテープメディア１５１１を主としてバックアップのために使用することもできる。
【００６５】
サーバ１０に提供されるプログラムは、ハードディスク１５３、光ディスク１５２１、又はメモリーカードなどの記録媒体に格納されて提供される。このプログラムは、Ｉ／Ｏコントローラ１６０を介して、記録媒体から読み出され、又は通信Ｉ／Ｆ１２０を介してダウンロードされることによって、サーバにインストールされ実行されてもよい。
【００６６】
上述のプログラムは、内部又は外部の記憶媒体に格納されてもよい。ここで、記憶媒体としては、ハードディスク１５３、光ディスク１５２１、又はメモリーカードの他に、ＭＤなどの光磁気記録媒体、テープメディア１５１１を用いることができる。又、専用通信回線やインターネットなどの通信回線に接続されたサーバシステムに設けたハードディスク１５３又は光ディスクライブラリなどの記憶装置を記録媒体として使用し、通信ネットワーク３０を介してプログラムをサーバに提供してもよい。
【００６７】
ここで、表示装置１４０は、ユーザによるデータの入力を受け付ける画面を表示したり、サーバによる演算処理結果の画面を表示したりするものであり、ブラウン管表示装置（ＣＲＴ）、液晶表示装置（ＬＣＤ）などのディスプレイ装置を含む。
【００６８】
ここで、入力装置１１０は、ユーザによる入力の受け付けを行うものであり、キーボード及びマウスなどにより構成してよい。
【００６９】
又、通信Ｉ／Ｆ１２０は、サーバ１０を専用ネットワーク又は公共ネットワークを介して端末と接続できるようにするためのネットワーク・アダプタである。通信Ｉ／Ｆ１２０は、モデム、ケーブル・モデム及びイーサネット（登録商標）・アダプタを含んでよい。
【００７０】
以上の例は、サーバ１０のハードウェア構成について主に説明したが、コンピュータに、プログラムをインストールして、そのコンピュータをサーバ１０として動作させることにより上記で説明した機能を実現することもできる。従って、本発明において一実施形態として説明したサーバ１０により実現される機能は、上述の方法を当該コンピュータにより実行することにより、あるいは、上述のプログラムを当該コンピュータに導入して実行することによっても実現可能である。
【００７１】
［携帯端末のハードウェア構成］
図９は、本発明の好適な実施形態の一例に係る携帯端末２０のハードウェア構成を示す図である。図９に示すように、入力部２１０、通信部２２０、表示部２４０、記憶部２５０、音声入出力部２６０、及び電源部２７０が制御部２３０に接続されて携帯端末２０を構成する。
【００７２】
入力部２１０は、操作キー２１１などの入力装置により実現することができる。また、通信部２２０は、音声及びデータを携帯通信網と送受信する通信モジュール２２１などにより実現、及び赤外線通信を行う端子及びＢｌｕｅｔｏｏｔｈを搭載して携帯端末２０同士でデータを送受信することができる。更に、表示部２４０は、ＬＣＤ（液晶表示装置）２４１などにより実現することができる。そして、記憶部２５０は、ＲＡＭ２５１及びフラッシュＲＯＭ２５２などの半導体メモリで実現することができる。
【００７３】
音声入出力部２６０は、マイク２６１及びスピーカ２６２などの装置により実現することができる。また、電源部２７０は、電池２７１などにより携帯端末２０が必要とする電源を供給する。更に、制御部２３０は、ＣＰＵ２３１により構成してよく、携帯端末２０全体を制御し、例えば、記憶部２５０に記憶されたプログラムを読み出して実行することにより、各種処理を実現することができる。なお、説明の必要もないが、アンテナ２２２は、無線電波を送受信する。
【００７４】
以上、本発明の実施形態について説明したが、本発明は上述した実施形態に限るものではない。又、本発明の実施形態に記載された効果は、本発明から生じる最も好適な効果を列挙したに過ぎず、本発明による効果は、本発明の実施例に記載されたものに限定されるものではない。
【図面の簡単な説明】
【００７５】
【図１】本発明の好適な実施形態の一例に係るシステム１の全体構成を示す図である。
【図２】本発明の好適な実施形態の一例に係るサーバ１０及び携帯端末２０の機能ブロック図である。
【図３】本発明の好適な実施形態の一例に係る広告送信処理のフローチャートである。
【図４】本発明の好適な実施形態の一例に係る広告データの概要を示す図である。
【図５】本発明の好適な実施形態の一例に係る広告ＤＢ１５０１を示す図である。
【図６】本発明の好適な実施形態の一例に係る対面アフェリエイト処理のシーケンス図である。
【図７】本発明の好適な実施形態の一例に係る広告送受信履歴情報登録部１５０２を示す図である。
【図８】本発明の好適な実施形態の一例に係るサーバ１０のハードウェア構成を示す図である。
【図９】本発明の好適な実施形態の一例に係る携帯端末２０のハードウェア構成を示す図である。
【符号の説明】
【００７６】
１  システム
１０  サーバ
２０・２０ａ・２０ｂ  携帯端末・第１の携帯端末・第２の携帯端末
３０  通信ネットワーク
１２  送受信部
１３  制御部
１５  記憶部
１３０１  広告送信部
１３０２  広告送受信履歴情報受信部
１３０３  広告データ照合部
１３０４  報酬支払判定部
１５０１  広告ＤＢ
１５０２  広告送受信履歴情報登録部
【図１】
2008299674.tif 000003
【図２】
2008299674.tif 000004
【図３】
2008299674.tif 000005
【図４】
2008299674.tif 000006
【図５】
2008299674.tif 000007
【図６】
2008299674.tif 000008
【図７】
2008299674.tif 000009
【図８】
2008299674.tif 000010
【図９】
2008299674.tif 000011